【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】  造影剤を注入された被検体の特定部位に関する連続的な複数の画像から、前記特定部位内の動脈に関する第１時間濃度曲線と、前記特定部位内の組織に関する第２時間濃度曲線を作成し、
前記動脈各々に対する前記組織の局所血流動態を表す伝達関数を、前記伝達関数と第１時間濃度曲線とのコンボルーションに対する前記第２時間濃度曲線の差が最小化するように計算し、
前記伝達関数から、前記動脈に対する前記局所血流動態に関するインデックスを計算して表示することを特徴とするインデックス計算方法。
【請求項２】  前記特定部位は、脳であることを特徴とする請求項１のインデックス計算方法。
【請求項３】  前記インデックスとして、脳組織の単位体積及び単位時間あたりの血流量、脳組織内の単位体積あたりの血液量、脳組織の血流平均通過時間の少なくとも１つが計算されることを特徴とする請求項２のインデックス計算方法。
【請求項４】  前記伝達関数は、前記脳の左エリアと右エリアとで別々に計算されることを特徴とする請求項２記載のインデックス計算方法。
【請求項５】  前記伝達関数は、前記脳の領域を幾何学的手法により分割した前記動脈の勢力域で別々に計算されることを特徴とする請求項２記載のインデックス計算方法。
【請求項６】  前記幾何学的手法は、ボロノイ図法であることを特徴とする請求項５記載のインデックス計算方法。
【請求項７】  前記画像から作成された静脈に関する時間濃度曲線に基づいて、前記動脈に関する第１時間濃度曲線を補正することを特徴とする請求項２記載のインデックス計算方法。
【請求項８】  前記静脈の時間濃度曲線の曲線下面積に、前記第１時間濃度曲線の時間濃度曲線の曲線下面積が略等価になるように、前記第１時間濃度曲線が補正されることを特徴とする請求項７記載のインデックス計算方法。
【請求項９】  前記静脈の時間濃度曲線は、前記静脈の領域内の複数画素に関する平均濃度から作成されることを特徴とする請求項７記載のインデックス計算方法。
【請求項１０】  前記動脈の設定を支援するために、前記画像を構成する複数の画素各々の時間濃度曲線の特性値を計算し、特性値マップを表示することを特徴とする請求項１記載のインデックス計算方法。
【請求項１１】  前記特性値は、アピエランスタイム、ピークタイム又はトランジットタイムであることを特徴とする請求項１０記載のインデックス計算方法。
【請求項１２】  前記インデックスの値が所定範囲から外れているとき、前記インデックスの値を黒、その近似色又は読影に使用しない色に対応する所定の値に置き換えることを特徴とする請求項１記載のインデックス計算方法。
【請求項１３】  造影剤を注入された被検体の特定部位に関する連続的な複数の画像から、前記特定部位内の動脈に関する第１時間濃度曲線と、前記特定部位内の組織に関する第２時間濃度曲線を作成し、
前記第２時間濃度曲線各々に対して最もフィッティングする前記第１時間濃度曲線の一を選択することにより、前記組織各々の局所血流動態が従属する可能性が最も高い前記動脈の一を特定し、
前記組織ごとに特定された動脈の一に基づいて前記動脈の従属域を区別するマップを作成することを特徴とする方法。
【請求項１４】  前記マップを前記動脈の従属域を色で区別して表示することを特徴とする請求項１３の方法。
【請求項１５】  前記マップに基づいて、前記動脈に対応する前記局所血流動態を表すインデックスに関するインデックスマップを合成することを特徴とする請求項１３の方法。
【請求項１６】  造影剤を注入された被検体の特定部位に関する連続的な複数の画像からノイズを低減するために、画素間の類似度に応じた重みを使って前記複数の画像をフィルタし、
前記ノイズ低減された複数の画像から、前記特定部位内の動脈に関する第１時間濃度曲線と、前記特定部位内の組織に関する第２時間濃度曲線を作成し、
前記動脈各々に対する前記組織の局所血流動態を表す伝達関数を、前記伝達関数と第１時間濃度曲線とのコンボルーションに対する前記第２時間濃度曲線の差が最小化するように計算し、
前記伝達関数から、前記動脈各々に対する前記局所血流動態に関するインデックスを計算することを特徴とするインデックス計算方法。
【請求項１７】  前記画素間の類似度は、画素間の時間濃度曲線の差に基づいて決定されることを特徴とする請求項１６の方法。
【請求項１８】  前記画素間の類似度は、画素間の時間濃度曲線の差と前記ノイズの分散期待値とに基づいて決定されることを特徴とする請求項１６の方法。
【請求項１９】  前記画像を構成する画素各々の画素値は、周辺画素との前記重みによる重み付け平均に置き換えられることを特徴とする請求項１６の方法。
【請求項２０】  前記伝達関数は、矩形関数であることを特徴とする請求項１６記載のインデックス計算方法。
【請求項２１】  造影剤を注入された被検体の特定部位に関する連続的な複数の画像から、前記特定部位内の動脈に関する第１時間濃度曲線と、前記特定部位内の組織に関する第２時間濃度曲線を作成する時間濃度曲線作成部と、
前記動脈各々に対する前記組織の局所血流動態を表す伝達関数を、前記伝達関数と第１時間濃度曲線とのコンボルーションに対する前記第２時間濃度曲線の差が最小化するように計算する伝達関数計算部と、
前記伝達関数から、前記動脈に対する前記局所血流動態に関するインデックスを計算するインデックス計算部と、
前記インデックスのマップを作成するマップ作成部とを具備することを特徴とするインデックス計算装置。
【請求項２２】  造影剤を注入された被検体の特定部位に関する連続的な複数の画像から、前記特定部位内の動脈に関する第１時間濃度曲線と、前記特定部位内の組織に関する第２時間濃度曲線を作成する時間濃度曲線作成部と、
前記第２時間濃度曲線各々に対して最もフィッティングする前記第１時間濃度曲線の一を選択することにより、前記組織各々が従属する可能性が最も高い前記動脈の一を特定する手段と、
前記組織ごとに特定された動脈の一に基づいて前記動脈の従属域を区別するマップを作成するマップ作成部とを具備することを特徴とする装置。
【請求項２３】  造影剤を注入された被検体の特定部位に関する連続的な複数の画像からノイズを低減するために、画素間の類似度に応じた重みを使って前記複数の画像をフィルタするフィルタ部と、
前記ノイズ低減された複数の画像から、前記特定部位内の動脈に関する第１時間濃度曲線と、前記特定部位内の組織に関する第２時間濃度曲線を作成する時間濃度曲線作成部と、
前記動脈各々に対する前記組織の局所血流動態を表す伝達関数を、前記伝達関数と第１時間濃度曲線とのコンボルーションに対する前記第２時間濃度曲線の差が最小化するように計算する伝達関数計算部と、
前記伝達関数から、前記動脈各々に対する前記局所血流動態に関するインデックスを計算することを特徴とする局所血流動態に関するインデックスを計算するインデックス計算部とを具備するインデックス計算装置。
【手続補正２】
【補正対象書類名】明細書
【補正対象項目名】００２６
【補正方法】変更
【補正の内容】
【００２６】
【課題を解決するための手段】
本発明の第１局面は、造影剤を注入された被検体の特定部位に関する連続的な複数の画像から、前記特定部位内の動脈に関する第１時間濃度曲線と、前記特定部位内の組織に関する第２時間濃度曲線を作成し、前記動脈各々に対する前記組織の局所血流動態を表す伝達関数を、前記伝達関数と第１時間濃度曲線とのコンボルーションに対する前記第２時間濃度曲線の差が最小化するように計算し、前記伝達関数から、前記動脈に対する前記局所血流動態に関するインデックスを計算して表示することにある。  
本発明の第２局面は、造影剤を注入された被検体の特定部位に関する連続的な複数の画像から、前記特定部位内の動脈に関する第１時間濃度曲線と、前記特定部位内の組織に関する第２時間濃度曲線を作成し、前記第２時間濃度曲線各々に対して最もフィッティングする前記第１時間濃度曲線の一を選択することにより、前記組織各々の局所血流動態が従属する可能性が最も高い前記動脈の一を特定し、前記組織ごとに特定された動脈の一に基づいて前記動脈の従属域を区別するマップを作成することにある。  
本発明の第３局面は、造影剤を注入された被検体の特定部位に関する連続的な複数の画像から、前記特定部位内の動脈に関する第１時間濃度曲線と、前記特定部位内の組織に関する第２時間濃度曲線を作成する時間濃度曲線作成部と、前記動脈各々に対する前記組織の局所血流動態を表す伝達関数を、前記伝達関数と第１時間濃度曲線とのコンボルーションに対する前記第２時間濃度曲線の差が最小化するように計算する伝達関数計算部と、前記伝達関数から、前記動脈に対する前記局所血流動態に関するインデックスを計算するインデックス計算部と、前記インデックスのマップを作成するマップ作成部とを具備することにある。  
本発明の第４局面は、造影剤を注入された被検体の特定部位に関する連続的な複数の画像から、前記特定部位内の動脈に関する第１時間濃度曲線と、前記特定部位内の組織に関する第２時間濃度曲線を作成する時間濃度曲線作成部と、前記第２時間濃度曲線各々に対して最もフィッティングする前記第１時間濃度曲線の一を選択することにより、前記組織各々が従属する可能性が最も高い前記動脈の一を特定する手段と、前記組織ごとに特定された動脈の一に基づいて前記動脈の従属域を区別するマップを作成するマップ作成部とを具備することにある。  
本発明の第５局面は、造影剤を注入された被検体の特定部位に関する連続的な複数の画像からノイズを低減するために、画素間の類似度に応じた重みを使って前記複数の画像をフィルタするフィルタ部と、前記ノイズ低減された複数の画像から、前記特定部位内の動脈に関する第１時間濃度曲線と、前記特定部位内の組織に関する第２時間濃度曲線を作成する時間濃度曲線作成部と、前記動脈各々に対する前記組織の局所血流動態を表す伝達関数を、前記伝達関数と第１時間濃度曲線とのコンボルーションに対する前記第２時間濃度曲線の差が最小化するように計算する伝達関数計算部と、前記伝達関数から、前記動脈各々に対する前記局所血流動態に関するインデックスを計算することを特徴とする局所血流動態に関するインデックスを計算するインデックス計算部とを具備することにある。